(57)【要約】      （修正有）【課題】いわゆる自撮りする場合においてカメラを取り付けた支持装置の一部が映り込まない支持装置を提供する。また、カメラのみならず、カメラ機能が付加された携帯端末、特にスマートフォンをも簡易かつ確実に取付けることができるカメラ支持装置を提供する。【解決手段】支持装置１０は、支持部２０と保持部４０を有するものであり、支持部２０は、伸縮部２１と蛇腹部３０と連結部３１と回転部３２を有している。保持部４０にカメラを取り付け支持部２０における伸縮部２１を徐々に伸ばし、適当な長さにしたのちに蛇腹部３０を折り曲げ、カメラの撮影する領域内に該支持装置１０が映り込まないようしていわゆる自撮りすることができるものである。【選択図】図１
0003196962.tif 000002
【実用新案登録請求の範囲】
【請求項１】
保持部と支持部を有する支持装置であって、前記支持部はカメラの位置を転回することができる回転部と伸縮部と蛇腹部を有し、前記蛇腹部を曲げることによって、前記保持部に取り付けたカメラあるいはカメラ機能が付加された携帯端末のアングルを自在に変更することを特徴とする支持装置。
【請求項２】
保持部は、携帯端末保持部を有し、前記携帯端末保持部に載置部と固定部を有し、前記載置部から固定部に連絡した連絡部を有し、該連絡部の内部に弾性体を有し前記弾性体は、固定部と載置部が接近する方向に付勢され、前記載置部と固定部で小型カメラあるいはカメラ機能が付加された携帯端末を挟持して取り付けるとことを特徴とする請求項１記載の支持装置。
【請求項３】
前記固定部につまみ部を設けることを特徴とする請求項２記載の支持装置。
【考案の詳細な説明】
【技術分野】
【０００１】
本考案は、撮影者自身を撮影するために、カメラのみならずカメラ機能を有する携帯端末を支持することができる支持装置に関するものである。
【背景技術】
【０００２】
従来はカメラ撮影において撮影者自らを撮影する場合は、三脚にカメラを固定し、セルフタイマーを用いることによって撮影することができた。これはあらかじめ、撮影者自身が自らの撮影を予定することにより三脚を携行する場合であり、それがなければ、撮影することは難しい状況であった。
【０００３】
そこで、三脚を携行しない状況において簡易的に自身を撮影する場合は、撮影者自らがカメラを持った腕を伸ばし、レンズ部分を撮影者自らに向けることによって撮影するいわゆる「自撮り」を行うことができる場合がある。特に、カメラ機能付き携帯端末の普及によって、気軽に撮影することができる環境が整ったため、上記「自撮り」が盛んに行われている。よって、カメラ撮影を趣味とする者以外は重い三脚を持ち運んでまで自らを撮影することは、ほとんど行われなくなっている。また、三脚を携行した場合であってもカメラを設置する場所が、砂浜等の軟弱の場所ではそれが安定せず、倒れるというおそれもある。
【０００４】
上記のとおりカメラ機能付き携帯端末、特にスマートフォンの普及に伴い、いわゆる「自撮り」する機会が増えているが、腕の長さによって、カメラが撮影する領域が決まってしまうため、希望通りの撮影ができないという事態が生じている。
【０００５】
特に、スマートフォンに内蔵されているカメラでは、あまり広角側への機能が備わっていないために、カメラから被写体への距離が近いと、撮影者自身がその撮影する領域内に収まらない可能性がある。特に複数人でいわゆる自撮りする場合においてはなおさら全員がその中に収まりきれないという問題がある。この場合、第三者に撮影を依頼することも可能ではあるが、そのまま携帯端末を持ち去られてしまう危険もあり現実的ではない。特にスマートフォンであれば、その危険性を完全に払しょくすることができない。
【０００６】
そこで上記問題を解決するカメラ支持装置として、実開昭５９−１１２２４１号公報に記載された考案が開示されている。これは、伸縮棒の一端部に取付部を設置し、その取付部に、カメラを取り付けて撮影すれば、カメラと被写体の距離を離すことができるために、自らを撮影することができるというものである。また、撮影者のみではなく撮影者を含む複数人で撮影をする際にも使用することができるというものである。
【０００７】
しかしながら上記考案においては、カメラ支持装置の一部が写真に写りこんでしまうために、趣味性に欠けてしまうという課題がある。また、カメラ専用の支持装置であり、カメラ機能付き携帯端末特にスマートフォン用に製作されたものでないために、そのままではスマートフォンなどの携帯端末を取り付けられないという課題がある。
【先行技術文献】
【特許文献】
【０００８】
【特許文献１】実開昭５９−１１２２４１号公報
【考案の概要】
【考案が解決しようとする課題】
【０００９】
本考案の課題は、いわゆる自撮りする場合においてカメラに取り付けた支持装置の一部が写真に映り込まない支持装置を提供することを課題とする。また、カメラのみならず、カメラ機能が付加された携帯端末、特にスマートフォンをも簡易かつ確実に取付けることができる支持装置を提供することを課題とする。
【課題を解決するための手段】
【００１０】
前記の課題を解決するため、本考案は、保持部と支持部を有する支持装置であって、前記支持部はカメラの位置を回転することができる回転部と伸縮部と蛇腹部を有し、前記蛇腹部を曲げることによって、前記保持部に取り付けたカメラあるいはカメラ機能が付加された携帯端末のアングルを自在に変更するという手段を講じたものである。
【００１１】
上記伸縮部を伸ばした状態において前記蛇腹部を屈曲させることにより、撮影者自らを撮影するいわゆる自撮りにおいて自らを撮影する領域内に収めつつ、支持装置の一部が映り込まないようにカメアアングルを自由に変更して撮影することができる。なおここでカメラと称するものには、カメラのほか撮影することができる機能が付加された携帯端末、特にスマートフォンを含む趣旨である。
【００１２】
前記の課題を解決するため、本考案における保持部は、携帯端末保持部を有し前記携帯端末保持部における載置部と固定部に小型カメラあるいはカメラ機能が付加された携帯端末特にスマートフォンを挟持して取り付けるという手段を講じたものである。なお上記のとおり携帯端末保持部とは携帯端末特にスマートフォンを取り付けられるのは無論のこと、カメラを取り付けることを排除する趣旨ではない。
【００１３】
保持部は、携帯端末保持部を有し、前記携帯端末保持部に載置部と固定部を有し、前記載置部から固定部に連絡した連絡部を有し、該連絡部の内部に弾性体を有し前記弾性体は、固定部と載置部が接近する方向に付勢され、前記載置部と固定部で小型カメラあるいはカメラ機能が付加された携帯端末を挟持して取り付けるという手段を講じたものである。
【００１４】
載置部の方向に付勢された固定部を、前記弾性体の弾性力に抗して、載置部から離間するようにして、小型カメラのみならず、カメラ機能が付加された携帯端末特にスマートフォンを載置部と固定部に挟持して取り付け固定することができる。このようにワンタッチでスマートフォンを固定することができるために、気軽にいわゆる自撮りをすることができる。
【００１５】
前記の課題を解決するため、本考案における前記固定部につまみ部を設けるという手段を講じたものである。当該つまみ部を弾性力に抗して引っ張れば、固定部と載置部を離間することができカメラあるいは携帯端末、特にスマートフォンの着脱を容易にすることができる。
【考案の効果】
【００１６】
本考案は以上のように構成され、かつ、作用するものであり、いわゆる自撮りする場合においてカメラに取り付けた支持装置の一部が映り込まない支持装置を提供することができる。またカメラ機能を付加された携帯端末、特にスマートフォンをも簡易かつ確実に取付けることができるカメラ支持装置を提供することができる。
【図面の簡単な説明】
【００１７】
【図１】本考案に係る支持装置の正面図
【図２】元受部と第２節の拡大部分断面図
【図３】第２節と第３節の拡大部分断面図
【図４】第７節と蛇腹部の拡大部分断面図
【図５】保持部の分解斜視図
【図６】保持部本体の分解斜視図
【図７】回転軸の斜視図
【図８】スマートフォンを取り付けた状態の支持装置の斜視図
【図９】カメラを取り付ける状態の支持装置の斜視図
【考案を実施するための最良の形態】
【００１８】
支持装置１０は、支持部２０と保持部４０を有するものである。支持部２０は、伸縮部２１と蛇腹部３０と連結部３１と回転部３２を有している。伸縮部２１は入れ子状に構成されており、伸縮部２１における元受部２２は、円筒状であり、その内部に重なるように円筒状の第２節２３を有する。同様に、第３節２４、第４節２５、第５節２６、第６節２７も円筒状であり、内側に位置するに従い、内径が、徐々に細くなっている構成である。また、伸縮部２１における元受部２２には、すべり止めとしてゴム製のグリップ部Ｇを配置している。また、元受部２２に図示しないがストラップを設けることができる孔を具備することができる。
【００１９】
元受部２２の先端部２２ａは、内径方向に径が若干すぼまるような絞り形状を呈し、第２節２３の後端部２３ｂの外径と嵌合するように構成されている。よって、元受部２２から第２節２３を引き出す際に一定の抵抗を有しつつがたつくことなく伸ばすことができる。従って、元受部２２から第２節２３を最大限引き出さない状態、すなわち元受部２２から第２節２３の引き出しが中途の状態においても、がたつくことはない。また、引き出しが中途の場合のみならず最大限引き出した状態においても、元受部２２の元受溝部２２ｃと第２節２３における第２節溝部２３ｃが係合することで、互いにラジアル方向の回転が阻止される。なお、元受部２２から第２節２３を最大限引き出した場合は、元受部２２の内径が若干すぼまるような絞り形状の先端部２２ａの内部において第２節２３の後端部２３ｂが当接することで、第２節２３が、元受部２２から全部引き出されるのを阻止する構成である（図２参照）。
【００２０】
同様に第２節２３の先端部２３ａは、内径方向に径が若干すぼまるような絞り形状を呈し、第３節２４の後端部２４ｂの外径と嵌合するように構成されている。よって、第２節２３から第３節２４を引き出す際に一定の抵抗を有しつつがたつくことなく伸ばすことができる。従って、第２節２３から第３節２４を最大限引き出さない状態、すなわち第２節２３から第３節２４の引き出しが中途の状態においても、がたつくことはない。また、引き出しが中途の場合のみならず最大限引き出した状態においても、第２節２３の第２節溝部２３ｃと第３節２４における第３節溝部２４ｃが係合することで、互いにラジアル方向の回転が阻止される。なお、第２節２３から第３節２４を最大限引き出した場合は、第２節２３の内径が若干すぼまるような絞り形状の先端部２３ａの内部において第３節２４の後端部２４ｂが当接することで、第３節２４が、第２節２３から全部引き出されるのを阻止する構成である（図３参照）。なお第３節２４と第４節２５、第４節２５と第５節２６、第５節２６と第６節２７については上記と同様であるので説明を省略する。なお、第４節溝部２５ｃ、第５節溝部２６ｃ、第６節溝部２７ｃについても同様であり符号を付してその説明は省略する。
【００２１】
さらに、第７節２８の先端部２８ａについても、内径方向に径が若干すぼまるような絞り形状を呈し、蛇腹部３０における基部３０ａの端部３０ｂと嵌合するように構成されている。よって、第７節２８から蛇腹部３０を引き出す際に一定の抵抗を有しつつ伸ばすことができる。従って、第７節２８から蛇腹部３０を最大限引き出さない状態、すなわち第７節２８から蛇腹部３０の引き出しが中途の状態においても、途中で蛇腹部３０をとどまらせることができる。また、引き出しが中途の場合のみならず最大限引き出した状態においても、第７節２８における第７節溝部２８ｃと基部３０ａが係合することで、互いにラジアル方向の回転が阻止される。しかしながら、基部３０ａと後述する蛇腹部本体３０ｃは、一定の抵抗を有しつつラジアル方向の回転を許容するように接続されている。なお、第７節２８から蛇腹部３０を最大限引き出した場合は、第７節２８の内径が若干すぼまるような絞り形状の先端部２８ａの内部において基部３０ａの端部３０ｂが当接することで、蛇腹部３０が、第７節２８から全部引き出されるのを阻止する構成である（図４参照）。
【００２２】
なお蛇腹部３０は、自在に折り曲げることができる公知のいわゆる蛇腹管であり、さらにその折り曲げられた状態を維持することができる。なお、本実施例では、伸縮部２１は、元受部２２、第２節２３、第３節２４、第４節２５、第５節２６、第６節２７、第７節２８の７段の構成であるがこれに限られないことは言うまでもない。また、本実施例では、上記のとおり元受溝部２２ｃ、第２節溝部２３ｃ、第３節溝部２４ｃ、第４節溝部２５ｃ、第５節溝部２６ｃ、第６節溝部２７ｃ、第７節溝部２８ｃは、伸縮部２１において１列に配置されているが、当該伸縮部２１の裏側にも元受溝部２２ｃ、第２節溝部２３ｃ、第３節溝部２４ｃ、第４節溝部２５ｃ、第５節溝部２６ｃ、第６節溝部２７ｃ、第７節溝部２８ｃを１列に配置することができる。すなわち、２列配置することができるが、これに限られることはない。
【００２３】
蛇腹部３０は、上述のとおり基部３０ａが第７節２８の内部において先端部２８ａと嵌合しているが、蛇腹部本体３０ｃは、第７節２８の内径部分に接しない程度に径が細く構成されている。また蛇腹部３０の先端は、連結部３１に接続している。連結部３１は、小径部３１ａと大径部３１ｂを有し、小径部３１ａは、第７節２８の先端部２８ａの内径と嵌合する構成である。従って、上記の構成により蛇腹部３０を、第７節２８の内部に収納した場合にがたつきがない。
【００２４】
回転部３２は、前記連結部３１における大径部３１ｂに公知の方法により固定されている。すなわち、本実施例においては図示しない中子を、大径部３１ｂに挿入し、カシメ加工することにより固定されている。回転部３２は、回転軸３３周りにほぼ１８０度の角度で回転することができる。
【００２５】
即ち、回転部３２は二股に分岐した脚部３２ａ、３２ｂを有しその脚部３２ａ、３２ｂにそれぞれ、軸孔３２ａ１、３２ｂ１を有し、その脚部３２ａ、３２ｂの間に設けられた空所３２ｃに、後述する保持部４０の保持部本体４１における軸受け部４１ａが挿入される。また、軸受け部４１ａは、軸受孔４１ａ１を有する。よって前記軸受け部４１ａが空所３２ｃに挿入されて、回転軸３３が、順に軸受孔３２ａ１、軸受孔４１ａ１、３２ｂ1を貫通するように構成され、さらに図示しないメネジ部材で固定されている。
【００２６】
回転軸３３には、波形状を有する合成樹脂製の当接部材３３ａが配置されており、後述する保持部４０における保持部本体４１の軸受孔４１ａ１の周辺に配置されている波形状を有する当接受け部４１ｂと係合することで回転部３２が、クリック感を出しつつ、回転軸３３周りに回転することができる。
【００２７】
保持部４０は、保持部本体４１を有し、さらに比較的小型のカメラを保持することができる携帯端末保持部４５を有している。携帯端末保持部４５は、載置部４６と連絡部４７と固定部４８を有している。したがって、載置部４６と固定部４８によって挟むことにより比較的小型のカメラを固定するというものである。この比較的小型のカメラのほかカメラ機能を有する携帯端末特にスマートフォンＳを保持することができるというものである。
【００２８】
携帯端末保持部４５における載置部４６は、口の字状を呈し、この上部に、緩衝体５０を配置している。載置部４６の端部４６ａから、連絡部４７における柱部４７ａ、４７ａがほぼ垂直に配置されている。なお柱部４７ａ、４７ａは同一のものであり、一方の柱部４７ａの内部について説明し他方の柱部４７ａの内部についての説明は省略する。柱部４７ａの内部に、弾性体であるコイルばねＸが配置されており、このコイルばねＸは、ほぼ柱部４７ａと同様の長さの自然長を有している。また前記コイルばねＸの内部に、固定部４８と一体となった、延設部４８ａが挿入され、その端部はメネジ４８ｂに固定されている。上記コイルばねＸは、その上端部が、柱部４７ａの内部においてその伸びを阻止され、その下端部は前記メネジ部４８ｂにその伸びを阻まれているために、固定部４８を上方に引き上げると、バネＸが圧縮される。従って、柱部４７ａの内部のばねＸが自然長に回復するために弾性力が生じ、固定部４８は載置部４６に接近する方向に付勢される。また固定部４８につまみ部４８ｃが配置されている。
【００２９】
また、載置部４６の下面にねじ穴４６ｂが配置されている。また、保持部本体４１に上記ねじ穴４６ｂと螺合するおねじ部４１ｃを配置されている。このねじ穴４６ｂにおねじ部４１ｃが螺合することで、携帯端末保持部４５と、保持部本体４１を固定することができる。なお、携帯端末保持部４５はおねじ部４１ｃの周りに回転することができるとともに、おねじ操作部４１ｄによってねじ込むことにより、その回転した状態で固定することができる。また、このおねじ部４１ｃは、おねじ操作部４１ｄによってねじ込むことによって、一眼レフカメラ等の比較的大型のカメラを固定できる公知のものである。すなわち、保持部本体４１は、雲台としての機能を有するものである。
【００３０】
このような、支持装置１０を使用するために、例えば比較的小型のカメラあるいはカメラ機能が付加された携帯端末特にスマートフォンＳにおいては、保持部４０における携帯端末保持部４５の固定部４８におけるつまみ部４８ｃを引き上げて、該固定部４８と載置部４６の間隔を広げつつ前記スマートフォンＳなど差し入れ、バネの弾性力により該固定部４８と載置部４６に挟持することができる。なお比較的大型のカメラの場合、保持部４０における携帯端末保持部４５を取り外し、保持部本体４１のみとした状態で、図示しないカメラの底部に配置された公知のメネジ部とおねじ部４1ｃを螺合することで固定することができる。
【００３１】
上記のとおりカメラあるいはスマートフォンＳなどのカメラ機能が付加された携帯端末を支持装置１０に固定した状態にし、支持部２０における伸縮部２１を必要に応じて伸ばし、適当な長さにする。この際に回転部３２を、回転軸３３周りに回転することでカメラのレンズ部分を撮影者に向けつつ、蛇腹部３０を折り曲げ（図９参照）、カメラにおいて撮影する領域内に該支持装置１０が映り込まないようにいわゆる「自撮り」することができる。また、砂浜等の不整地であっても快適に撮影することができるとともに第三者に依頼することもないので持ち逃げされる恐れもないというものである。
【符号の説明】
【００３２】
１０、支持装置
２０、支持部
２１、伸縮部
３０、蛇腹部
３１、連結部
３２、回転部
４０、保持部
４１、保持部本体
４５、携帯端末保持部
４６、載置部
４７、連絡部
４８、固定部
４８ｃ、つまみ部
Ｓ、スマートフォン
【図１】
0003196962.tif 000003
【図２】
0003196962.tif 000004
【図３】
0003196962.tif 000005
【図４】
0003196962.tif 000006
【図５】
0003196962.tif 000007
【図６】
0003196962.tif 000008
【図７】
0003196962.tif 000009
【図８】
0003196962.tif 000010
【図９】
0003196962.tif 000011